(57)【要約】      （修正有）【課題】ユーザは予約時間帯における所在を気にせずに、柔軟な予約を行う技術を提供する。【解決手段】視聴予約部と受信部１０６を有する例えばデジタルテレビの共有機器Ａと、例えばテレビ受信機能付きの携帯電話である所有機器１０７とを含むテレビ予約システムであって、所有機器１０７からはＥＰＧ１０７ｂの番組情報が通信手段１０７ｄを介して共有機器Ａの通信手段１０５に伝達され、番組予約情報設定テーブル１０１に番組情報を設定する。また予約者(視聴場所)候補リスト１０２から予約者情報が、時計１０３から時間情報が予約番組情報設定テーブル１０１に提供され、このテーブルが共有機器の番組視聴に関する管理を行う。【選択図】図１
2006295389.tif 000002
【特許請求の範囲】
【請求項１】
それぞれがテレビ受信機能と通信機能とを有する複数のテレビを含むテレビシステムであって、
前記複数のテレビのうちの少なくともいずれか一方には、テレビ番組の視聴予約リストが保持されており、該視聴予約リストが前記通信機能を介して前記複数のテレビにおいて共有されていることを特徴とするテレビシステム。
【請求項２】
前記通信機能を介して前記予約リストを参照できることを特徴とする請求項１に記載のテレビシステム。
【請求項３】
前記視聴予約リストを参照して、視聴時に視聴するテレビを選択できる視聴テレビ選択機能を有していることを特徴とする請求項１又は２に記載のテレビシステム。
【請求項４】
前記視聴予約リストを参照して、予約時に視聴予約を行うテレビを選択する視聴予約選択機能を有していることを特徴とする請求項１又は２に記載のテレビシステム。
【請求項５】
前記番組視聴リストを持つテレビに、予約される可能性のある複数のテレビを登録することが可能な請求項１から４までのいずれか１項に記載のテレビシステム。
【請求項６】
前記通信機能と前記番組視聴リストとを保持するテレビに、予約を行う可能性のあるユーザを登録する機能を有することを特徴とする請求項１から５までのいずれか１項に記載のテレビシステム。
【請求項７】
前記視聴番組リストに予約した予約時刻になった時、視聴対象テレビとして選択されているテレビに対してその旨を通知することを特徴とする請求項１から６までのいずれか１項に記載のテレビシステム。
【請求項８】
予約した番組の放送時間が変更された場合に、前記視聴番組リストに基づいて予約者にその旨を通知することを特徴とする請求項１から７までのいずれか１項に記載のテレビシステム。
【請求項９】
それぞれがテレビ受信機能と通信機能とを有する複数のテレビを含み、前記複数のテレビのうちの少なくともいずれか一方には、テレビ番組の視聴予約リストが保持されているテレビシステムにおける予約方法であって、
前記視聴予約リストを参照して視聴するテレビを予約するステップと、
視聴予約時間が近づいた旨の報知を受け取るステップと、
視聴機器の変更の有無の確認を促すステップと、
変更がある場合に前記視聴予約リストを参照して視聴機器を変更するステップと
を有する予約方法。
【請求項１０】
コンピュータに請求項９に記載のステップを実行させるためのプログラム。
【発明の詳細な説明】
【技術分野】
【０００１】
本発明は、テレビ視聴予約システムに関し、特に複数台のテレビの予約システムに関する。
【背景技術】
【０００２】
従来からテレビの視聴を予約するシステムが提案されている。例えば、番組予約システムとして、視聴予約番組の放送開始時刻に至ったことをユーザの携帯する通信機器に自動的に通知する番組予約システムである。このシステムにおいては、通知を受け取ったユーザからの応答により、予約をキャンセルすることが可能である。また、当該番組予約システムは視聴予約番組の放送時間の変更や放送の中止を検出してユーザに通知し、ユーザの応答によって予約を継続・中止することができる（例えば、特許文献１参照）。
【０００３】
【特許文献１】特開２００２−３２０１６９号公報
【発明の開示】
【発明が解決しようとする課題】
【０００４】
上記背景技術では、視聴予約番組の放送開始時刻に至ったことをユーザがわかったとしても視聴はできない。また、上記背景技術では、番組放送時間の変更を検知し通知し、当該予約の継続・中止を可能にしているが、変更後の番組放映時間に自宅にいない場合は、予約の中止は可能だが視聴をすることはできない。
【０００５】
本発明は、ユーザは予約時間帯における所在を気にせずに、柔軟な予約を行う技術を提供することを目的とする。
【課題を解決するための手段】
【０００６】
本発明は、視聴予約機能と通信手段とを有する複数のテレビからなるシステムである。
【０００７】
すなわち、本発明の一観点によれば、それぞれがテレビ受信機能と通信機能とを有する複数のテレビを含むテレビシステムであって、前記複数のテレビのうちの少なくともいずれか一方には、テレビ番組の視聴予約リストが保持されており、該視聴予約リストが前記通信機能を介して前記複数のテレビにおいて共有されていることを特徴とするテレビシステムが提供される。
【０００８】
上記手段により、１）テレビ番組の視聴予約時に視聴時に複数のテレビのいずれで視聴するかを選択できるようにすること、２）視聴予約時間が近づくと一方のテレビにその旨が通知され、視聴機器の変更が可能であることを知らせること、３）予約した番組に放送時間の変更があった場合、他方のテレビに通知され変更後の予約の是非及び視聴機器一方又は他方のテレビを選択できること、４）予約は一方又は他方のテレビで可能であること、を特徴とする。
【０００９】
例えば、あるテレビが視聴予約用に保持している番組情報を、通信手段を利用して別のテレビに送信する。受信側のテレビはその情報の受信をトリガーとして自動的にチューナの電源を入れ、その情報に基づいて選局を行う。また視聴予約システムに予約者候補リストと予約番組情報設定テーブルを持たせることにより、予約の重複などについて管理している。ある機器が視聴予約用に保持している番組情報を、別の機器が受け取り、受信側がその情報を利用してテレビを起動する。
【００１０】
また、視聴予約するテレビに、別の複数のテレビを登録しておくこともできる。番組情報/予約者/どのテレビで視聴するかを記録できる。登録されている別のテレビに通信手段を使い視聴予約依頼ができることにより、視聴予約時間に至った時に別のテレビにそのことを通知し、予約者が実際にどのテレビで視聴するか改めて選択できるため、予約時間に別の場所にいる場合でも視聴することができる。
【発明の効果】
【００１１】
本発明によれば、ユーザは予約時間帯の所在を気にせず、視聴予約することが可能になる。また、予約していた番組の放送時間が変更された場合でも、その場で新たな予約を行うことができるという利点がある。
【発明を実施するための最良の形態】
【００１２】
本発明に係る番組予約システムは、視聴予約機能、すなわち、予約した番組の開始時間に指定のチャンネルで起動し、終了時間になると電源を切る機能と、複数の使用者の中から予約者を区別する機能と、を有している。また、通信手段として、予約時間の数秒前に予約時間に至ったことをユーザに報知する機能を有している。この通信手段は、固定電話でメールを発信することを想定しているが、家庭内のネットワーク環境に接続された据え置き型のテレビでも同様なメールの発信が可能である。
【００１３】
より具体的には、１）視聴予約機能持ち電話回線と接続されたデジタルテレビと、２）テレビの視聴が可能な携帯電話、からなるシステムである。上記１）において、視聴予約を行う場合、EPGから抽出した番組情報に加えて、視聴機器（上記１）又は２））のいずれかを選択できる。１）のデジタルテレビが選択された場合、予約番組の情報と予約者（携帯電話の保有者）情報が記録される。
【００１４】
予約時間の5分前になると、予約者情報に従って携帯電話に視聴機器を確認するメールが送信され、実際にデジタルテレビで視聴することが不可能な場合、携帯電話を選択することができる。携帯電話を選択すると、デジタルテレビの予約が取り消され、携帯電話に視聴予約がされる。また、予約した番組の放送時間が変更された場合、予約者情報に従ってデジタルテレビから携帯電話に予約番組の情報が変更されたことが通知され、改めて視聴予約の内容を登録できる。デジタルテレビが家庭の大画面テレビ、携帯電話が家族の持つ携帯電話であることを想定すると、携帯電話からデジタルテレビの予約内容を変更する場合、デジタルテレビの予約者情報と携帯電話の保有者が一致するのが一般的である。
【００１５】
本実施の形態によるシステムは、例えば、リビングにおかれた共有テレビと家族各人が部屋に所有する個人用テレビ、家庭内の共有テレビと家族各人が所有するテレビ付き携帯電話などが視聴予約機能を共有するシステムである。かかるシステムにおいては、以下の特徴を有する。
【００１６】
（1）予約者が、予約時間に予約したテレビの近傍にいるか否かについて気を使う必要が無く視聴予約を行うことができる。
【００１７】
（2）必ずしも全てのテレビが視聴予約機能を持っていなくても良く、視聴予約機能を持つテレビが１つのみであっても良い。
【００１８】
（3）予約者や視聴場所を登録管理することによって、例えば大画面テレビが空いていない場合には、携帯電話での予約なども可能になる。
【００１９】
（4）テレビ付携帯電話も範囲内である。この場合には、本システムにおいて、予約者が視聴場所となるケースとして扱うことができる。
【００２０】
（5）例えば、お父さんが番組を予約し、視聴時間になった場合に、子供の部屋で予約していた番組を視聴するケースもありうる。
【００２１】
以下、図面を参照しつつ、本発明の一実施の形態によるテレビ予約システムについて説明を行う。図１は、本実施の形態によるテレビ視聴予約システムの一構成例を示す図である。図１に示すように、本実施の形態によるテレビ予約システムは、共有機器Ａと所有機器１００とを含んでいる。共有機器Ａは例えばデジタルテレビＡであり、視聴予約部１００と、受信部１０６とを有している。所有機器は例えば携帯電話機１０７である。
【００２２】
視聴予約部１００は、予約番組情報設定テーブル１０１と、予約者（視聴場所）候補リスト１０２と、時計１０３と、入力部１０４と、通信手段１０５と、を有している。受信部１０６は、ＥＰＧ１０６ａと、チューナ１０６ｂと、表示部１０６ｃと、を有している。チューナ１０６ｂには、アンテナＡＴ１が接続されている。
【００２３】
所有機器１０７は、チューナ１０７ａと、ＥＰＧ１０７ｂと、表示部１０７ｃと、通信手段１０７ｄと、入力部１０７ｅと、を有しており、いわゆるテレビ受信機能付きの携帯電話機である。
【００２４】
所有機器１０７においては、ＥＰＧ１０７ｂに基づいてチューナ１０７ａの選局を行う。ＥＰＧ１０７ｂの番組情報が通信手段１０７ｄを介して共有機器の通信手段１０５に伝達される。番組情報の受け取りをトリガーにして、所有機器１０７が起動するようにしても良い。
【００２５】
通信手段１０５は予約番組情報設定テーブル１０１に番組情報を設定する。予約者入力により入力部１０４から予約者情報登録及び予約情報入力を予約番組情報設定テーブル１０１に行う。さらに、予約者情報登録及び予約情報入力を予約者（視聴場所）候補リスト１０２に記載する。予約者（視聴場所）候補リスト１０２からは予約者情報が予約番組情報設定テーブル１０１に記載される。さらに、時計１０３から予約番組情報設定テーブル１０１に時間情報が提供される。このようにして作成された予約番組情報設定テーブル１０１には、受信部１０６のＥＰＧから番組情報が提供される。以上のようにして作成された予約番組情報設定テーブル１０１は、共有機器の番組視聴に関する管理を行う。
【００２６】
次に、本実施の形態によるテレビ予約システムにおける処理の流れについて図面を参照しつつ説明を行う。図２は、本実施の形態によるテレビ予約システムにおける基本的な処理の流れを示すフローチャート図である。図２に示すように、まず、ステップ２００において処理を開始し、ステップ２０１において、視聴場所を共有機器Ａとして視聴予約を行う。時計１０３により視聴予約の時刻になった旨が報知される。次いで、ステップ２０２において、予約者の所有機器１０７に視聴開始時間の到来を通知し、共有機器Ａから所有機器１０７に向けて番組情報を送信する。ステップ２０３において、応答（予約者確認を含む）があったか否かを判定する。その結果、応答があった場合には（ＹＥＳ）、ステップ２０４に進み、視聴予約を継続するか否かを確認する。視聴予約を継続しない場合には（ＮＯ）確認しない場合には、ステップ２０５において視聴予約の取り消しが行われステップ２０１に戻る。視聴予約の継続を行う場合には（ＹＥＳ）、ステップ２０６に進み、視聴機器の変更を行うか否かを確認する。予約機器の変更を行わない場合には（ＮＯ）、ステップ２０９において共有機器の電源を入れて選局を行う。予約機器の変更を行う場合には（ＹＥＳ）、ステップ２０７において番組情報に基づき所有機器の電源を入れ選局を行う。ステップ２０７又はステップ２０９から予約終了時刻になると、ステップ２０７からはステップ２０８に進み、所有機器の電源をオフする。ステップ２０９からはステップ２１０に進み、共有機器の電源をオフする。いずれの場合も、ステップ２０１に戻る。以上の処理では、基本的に共有機器で視聴する旨を予約により決めておき、基本的に共有機器で視聴を行う。但し、視聴機器を変更したい場合には、視聴開始前に視聴予約が行われている旨が改めて知らせられるため、都合により例えば所有機器で見るように視聴する機器を変更することもできる。
【００２７】
図３は、所有機器で視聴することを基本にした処理の流れを示すフローチャート図である。図３に示すように、ステップ３００において処理を開始し、ステップ３０１において視聴場所を所有機器として視聴予約を行う。ここで、視聴予約の時刻が報知され、ステップ３０２において、予約者の所有機器に視聴開始時刻の到来が通知され、番組情報が送信される。ステップ３０３において応答（含む予約者確認）が行われ、応答があると（ＹＥＳ）ステップ３０４に進み視聴予約の継続を行うか否かを確認する。視聴予約の継続が確認されると（ＹＥＳ）、ステップ３０６に進み視聴機器の変更を行うか否かを確認する。ステップ３０６において視聴機器の変更を行う場合には（ＹＥＳ）、ステップ３０７に進み共有機器の状況を判定する。共有機器が既に予約済み又は視聴中などでない場合には（ＹＥＳ）、予約開始時刻になるとステップ３０９に進み共有機器の電源を入れ／選局を行う。ｓついは、ステップ３１１に進み、番組情報に基づき所有機器の電源を入れ選局を行う。次いで、予約終了時刻になるとステップ３１０において共有機器の電源を切るか、ステップ３１２において所有機器の電源を切って、ステップ３０１に戻る。
【００２８】
ステップ３０３、３０６において、ＮＯの場合にも、ステップ３１１に進む。ステップ３０４でＮＯの場合には、ステップ３０５に進み視聴予約の取り消しを行いステップ３０１に戻る。ステップ３０７においてＮＯの場合にはステップ３０８に進み、変更が付加であることをユーザに報知する。以上の処理においては、基本的に所有機器で視聴を行う場合の処理の流れを説明した。
【００２９】
図４は、本実施の形態による予約候補者リスト作成処理の流れを示すフローチャート図である。図４に示すように、まずステップ４００において処理を開始し、ステップ４０１において名前を入力する（例えば、早川太郎と入力する）。ステップ４０２において、ニックネームの入力を行う（例えば、お父さん）。ステップ４０３において、パスワードの入力を行う。ステップ４０４において所有機器の選択を行う。所有機器がネットワーク上の機器の場合には、ステップ４０６においてネットワーク上の機器から選択を行う。所有機器として携帯電話機を選択すると、携帯メールアドレス（ＩＰアドレスなど）の入力を行う。ステップ４０５、４０６及び所有機器の選択がなしの場合には、そのままステップ４０７において終了する。
【００３０】
図５に予約候補者のリストの例を示す。予約候補者リストにおいては、例えば、名前と、ニックネームとパスワードと、所有機器と、所有機器の種別と、携帯メールなどのＩＰアドレスと、が記載されている。予約候補者が例えば早川太郎の場合に、所有機器はＭｙ携帯と、寝室テレビというように２ルーティングテーブル結いの所有機器を有する場合もある。このテーブル内で、予約が可能ではあるが、実際には同じ家族の中でも違う人の所有機器に関してはその人の許可を必要とするのが一般的である。
【００３１】
図６は、本実施の形態による予約番組情報設定テーブルの入力処理の流れを示すフローチャート図である。この処理は、共有機器本体でテーブルを参照しつつ予約を行う場合の処理例である。図６に示すように、まず、ステップ５００において処理を開始し、ステップ５０１において名前やニックネームの選択を行う。ステップ５０２においてパスワードを入力し、ステップ５０３において電子番組表から番組を選択する。ステップ５０４において視聴機器の選択を行い、ステップ５０５において処理を終了する。
【００３２】
一方、携帯電話機などの所有機器から予約を行う場合には、携帯電話機からリビングの大型ＴＶが空いているか否かを確認し、空いていなければ（Ｎ）、所有機器（携帯電話機）で視聴を行い、空いていれば（Ｙ）共有機器（大型ＴＶ）で視聴を行うようにすることも可能である。この場合に、例えば携帯電話から大型ＴＶに対して電子メールを送り、大型ＴＶがこの電子メールを処理して、大型ＴＶで視聴付加の場合には返信メールで所有機器である携帯電話機で視聴するようにリターンメールを送るようにしても良い。例えば、電子メールの画面上で、ユーザは視聴予約等に関する確認作業を行うこともできる。例えば、視聴予約を行った者の携帯電話機において、チャネル、時刻、番組名などをメール画面で確認することができる。この電子メール画面は、予約時刻の例えば５分前などの設定値に基づいて送られてくるようにすれば良い。電子メール画面により確認した結果に基づいて、例えば他の機器の空き状態や自己の予定によって他の機器で視聴するための予約が可能かどうかを確認し、他の機器における視聴予約を行ったりすることも可能である。
【００３３】
図７は、予約テーブル１０１（図１）の例を示す図である。図７に示すように、予約テーブルには、日時と、チャネルと、番組名と、予約者と、視聴機器と、が、件数（Ｎｏ）順に並んでいる。例えば、１件目は、日時が０５／０２／１８の９時５５分から１１時２５分まで、８チャネルで、番組名「○○」であり、予約者がお母さんであり、視聴機器が本機であることを示している。２件目は、日時が０５／０２／１８の１０時５５分から１１時２５分まで、４チャネルで、番組名「××」であり、予約者がよしこであり、視聴機器がよしこの携帯であることを示している。時間帯は重なっているが、視聴機器が異なっているため、視聴予約が可能である。このような予約テーブルが作成されることにより、同じ機器で同じ時間帯に異なる番組の予約がされないようになっている（但し、ダブルチューナなどの場合には、同じ機器での異なる番組の予約が可能である。）。
【００３４】
以上に説明したように、本実施の形態による番組予約システムによれば、ユーザは予約時間帯における自己の所在を気にせずに、視聴予約することが可能になり、視聴予約したが不在で視聴できないというケースが少なくなる。また、予約していた番組の放送時間が変更された場合や、自己の予定が変更された場合でも、その場で新たな予約を行うことができるという利点がある。尚、視聴機器は両方が携帯電話機であっても良い。
【産業上の利用可能性】
【００３５】
本発明は、複数機器を含む視聴予約システムとして利用可能である。
【図面の簡単な説明】
【００３６】
【図１】本発明の一実施の形態によるテレビ視聴予約システムの一構成例を示す図である。
【図２】本実施の形態によるテレビ予約システムにおける基本的な処理の流れを示すフローチャート図である。
【図３】所有機器で視聴することを基本にした処理の流れを示すフローチャート図である。
【図４】本実施の形態による予約候補者リスト作成処理の流れを示すフローチャート図である。
【図５】予約候補者のリストの例を示す図である。
【図６】本実施の形態による予約番組情報設定テーブルの入力処理の流れを示すフローチャート図である。
【図７】予約テーブル１０１（図１）の例を示す図である。
【符号の説明】
【００３７】
Ａ‥共有機器（デジタルテレビ）、１００‥視聴予約部、１０１‥予約番組情報設定テーブル、１０２‥予約者（視聴場所）候補リスト、１０３‥時計、１０４‥入力部、１０５‥通信手段、１０６‥受信部、１０６ａ‥ＥＰＧ、１０６ｂ‥チューナ、１０６ｃ‥表示部、１０７‥所有機器（携帯電話機）、１０７ａ‥チューナ、１０７ｂ‥ＥＰＧ、１０７ｃ‥表示部、１０７ｄ‥通信手段、１０７ｅ‥入力部。
【図１】
2006295389.tif 000003
【図２】
2006295389.tif 000004
【図３】
2006295389.tif 000005
【図４】
2006295389.tif 000006
【図５】
2006295389.tif 000007
【図６】
2006295389.tif 000008
【図７】
2006295389.tif 000009